(57)【要約】      （修正有）【課題】益々多様化しつつある食品におけるラップ作業の効率化。【解決手段】ケースの材質を硬質性に変更することによって疲労による破損を防除し、またラップ裁断用の刃について、特に休止時において刃による怪我の防除が自働的に図れるようにした。また鋭利さの保全については，交換あるいは補修が簡易な作業によって極めて簡単に行えるようにした。【選択図】図１
2004331218.tif 000002
【特許請求の範囲】
【請求項１】
巻き取って円筒（柱）状を呈する食品包装等に使用するラップフィルムを収納できる大きさの金属あるいはプラスチック製等硬質の円筒を含む多角筒型の箱において、生ずる角数本の稜線のうち一稜線を蝶番で開閉自由とし、その稜線に略対峙して当該多角筒の横切断面の中心を直線によって通る稜線までを本体他の一方を蓋とし更にその蓋には多角筒の一辺と略等しい長さと幅の庇を蝶番によって付加しその庇にはラップフィルム幅を僅かに凌駕する長さのラップフィルム裁断用の刃とそれを刃先のみ覗かせて固定して収納する鞘とを具備することを特徴としたラップフィルムケース。
【請求項２】
「請求項Ｉ」のラップフィルム裁断用の刃において、非使用時にはバネによって自動的に刃先を含めて全体が鞘に収まって刃による怪我等を防除する構造とし、使用時（裁断時）には、手動によって刃をスライドさせて鞘から刃先をのぞかせて、ラップフィルムの裁断が可能となる等の機能を具備することを特徴としたラップフィルムケース。
【請求項３】
「請求項Ｉ」に於いて庇に設けた鞘に変えて、ラップフィルム裁断用の小型の刃をスライドさせるラップフィルム幅を僅かに凌駕する長さのガイドを付加し、ラップフィルムケースの一端にセットしたゼンマイを動力としてラップフィルム裁断用の刃を当該ガイドに沿って牽引移動させながらラップフィルムを裁断出来る機能を具備することを特徴としたラップフィルムケース。
【請求項４】
「請求項３」において、ゼンマイに変えて、乾電池等によって起動する小型モーターを動力として刃を牽引又は移動させてラップフィルムを裁断する機能を具備することを特徴としたラップフィルムケース。
【発明の詳細な説明】
【０００１】
【産業上の利用分野】
既存の食品包装用のラップフィルムは，ラップフィルム裁断用の刃を具備した板紙製のケースに収納されているが、長期間使用していると、主にラップフィルム裁断用の刃がついている部分に於いて、ケースの板紙が疲労し、ラップフィルムの裁断は勿論、ラップフィルムを使いきっていないのにケースの役目も果たさなくなる程ケースが破損し、特に最近長尺のラップフィルムが市販されるようになって尚更である。
【０００２】
そこで、本発明は、ラップフィルム収納ケースを金属あるいは硬質プラスチック製等硬質なものとし、使用することによって起こる疲労する等の欠点を補い、また重要な用件である刃による怪我等の防除について、ラップフィルム裁断（使用）中以外には危険の無いようにラップフィルム裁断用の刃を自動的に収納することの出来る鞘等を具備したラップフィルムケースに関するものである。
【０００３】
【従来の技術】
食品包装等に使用するラップフィルムは，ラップフィルム裁断用の刃を具備した板紙製のケースに収納して市販され、各メーカー製ともに工夫の跡が見られ、ラップフィルム裁断用の刃においても同様である。例えば、使用後の廃棄に際しての配慮であろうか、金属（刃）と紙類（ケース）との分別のしやすさ、刃における非金属（焼却可）の採用、安全性を配慮した刃型の工夫等々であるが、意図は理解できるとしても不完全で、更なる改善ガ望まれており、刃が怪我防止の為に完全に隔離されるように工夫した事例はない。
【０００４】
【発明が解決しようとする課題】
ラップフィルムの収納ケースは板紙製である事もあって、ラップフィルムが残存しているのに、特にラップフィルム裁断用の刃のついている部分に於いて疲労がひどく、ラップフィルムの裁断が至難となり、ケースにおいてもその役割を果たせなくなる事例もある。
【０００５】
このことは、ラップフィルム裁断用刃における鋭利さの減衰も無関係ではない。それは切れが悪くなると裁断する為にラップフィルムケースをある角度に保ちながら張力（人力による）を働かすようになる。そのために、相対的に握力が働き，板紙製のラップフィルムケースでは、その握力によってケースがその都度潰され、それが度重なることによって疲労し、元の形に復元しなくなる為である。
【０００６】
したがって、裁断用の刃は、鋭利さがより長く保てる材質・形状であることも望まれる。しかし鋭利であることは半面怪我の危険をより伴うので、このことに対する充分な配慮即ち防除構造が望まれている。
【０００７】
【課題を解決する為の手段】
本発明のラップフィルムケースは、金属あるいは硬質プラスチック製とするので度重なる使用によっても潰れることは殆どないので、疲労することによって使用できなくなることはなくなり、既存のケースに比較して格段に改善される。
【０００８】
ラップフィルム裁断用の刃の耐久性は材質や形状の吟味の他に簡易な作業によって交換が可能な方法によって取り付け、怪我の防除については使用時以外には刃の働かないような構造即ち自動的に鞘等に収容され外部に出現させないことによって指先その他が刃に直接に触れることがないような構造とすることで本来の目的であるラップフィルムの裁断と怪我防除も達せられる。
【０００９】
【実施例】
事例として示した図面によって説明する。図１は本発明によるＩ型の休止時と稼動時における外部構造である。図２はそのＩ型の休止時と稼動時における内部構造を示したものである。図１において，円筒状に巻き取ったラップフィルム９をケース内にセットし、ラップフィルムの一端を当該フィルム裁断用の刃８を収容した鞘６を備えた庇２と本体６との間から引き出し、フック１１をかけて本体と蓋とを固定する。
【００１０】
ラップフィルム使用に際しては、更にラップフィルム９を必要なだけ手動によって引き出し、刃を稼動可能とする為に刃のスライドボタン３をガイド１０に沿って手動によってスライドさせる。その状態を示したのが図１の稼動時である。
休止時において鞘の中に完全に収まっていたラップフィルム裁断用の刃８は鞘５の外にその先端を露出して（覗かせることで）ラップフィルムの裁断が可能な状態となる。裁断が終わってボタン３の人力を解除すると自動的に図１の休止時に戻り、刃先は鞘の中に完全に収まり外観からは見えなくなり、怪我等の危険は解消される。
【００１１】
これらのことは、Ｉ型の内部構造を示した図２に於いて解るように，人力から開放すると、バネ１３によって自動的に作動して休止時の状態に復元することによる。なお、摩滅によって切れの悪くなったラップフィルム裁断用の刃は，その留め金１５を螺子止め１７によって固定して刃の取替えや研ぎによる刃の再生が容易なようにした。
【００１２】
また、刃の両端の鞘からの出方に差があると傾きが生じ、刃のスライドの障害となるので、留め金１５の長さを可能な限り左右に長く、更に刃のスライドの為のその両端に設けたガイド１６の幅を広くして左右均等にスライドして刃先の出方に傾きの出来ないような構造とした。なお、「請求項１」に該当するのは、刃において出入りがなく、機能的には図１で示したＩ型における刃先の出た稼動時の状態で固定したのと同様なものであり、Ｉ型の原型に相当する。
【００１３】
ＩＩ型においては、Ｉ型の鞘に相当する部分に、ラップフィルムの幅を僅かに凌駕する長さをスライドする為の刃のガイドを設け。そのガイドに沿ってゼンマイを動力として刃を牽引スライドさせてラップフィルムを裁断する。
【００１４】
なお、ラップフィルム裁断用の刃を牽引する動力に電池で稼動する小型モーターを使用する事例に於いても、牽引索、牽引方法、スイッチ，電池等々その配置は、ゼンマイ等の収容場所を利用する。したがって裁断用の刃を牽引する動力が異なるのみで基本的にはＩＩ型に相当するので、ここではその詳細な説明については割愛した。
【００１５】
ところで、ＩＩ型における操作ボタン３は扁平で、その面がラップフィルム裁断用刃のガイド２３に並行する方向に於いて、ボタン内部に収納されていた刃８がボタンの下の方向に突出し、同時にガイド２３の略先端に交叉して在るストッパー２４から離脱させてゼンマイあるいは小型モーターに牽引され（モーターではスイッチも兼ねさせる）、ラップフィルムを裁断しながらガイド２３に沿ってスライドする。
【００１６】
休止時においては、ボタンを９０度回転してストッパー２４に架けて置くが、この操作は、同時に裁断用の刃をボタン３の内部に収納する役目の他、モーター使用の例ではオン・オフのスイッチも兼ねて果たす構造にしたので休止時における怪我の防除と電池の消耗等を防ぐことが出来る。
【００１７】
【発明の効果】
以上に述べた発明は次のような効果を有する。
▲１▼  ラップ作業が容易になって迅速になる。
▲２▼  ラップが完全に行える。
▲３▼  ラップフィルムの節減が出来る。
▲４▼  食品衛生上の諸問題に対応できる。
▲５▼  ラップ作業中における怪我の防除が出来る。
【００１８】
【図面の簡単な説明】
【図１】ラップフィルムケース１型の外部構造（休止時と稼動時）。
【図２】ラップフィルムケース１型の内部構造（休止時と稼動時）。
【図３】ＩＩ型のラップフィルム裁断装置の一例（休止時，稼動時の各側面と断面）
【図４】斜視図（８角筒の例、Ｉ型）
【００１９】
【符号の説明】
１  ラップフィルムケース（この事例は８角筒）。
２  庇。
３  Ｉ型における刃スライドの為の操作ボタン。
３’Π型における刃スライドの為の操作ボタン（操作ボタンを９０度左回転する事によって刃をボタン内に収納，同時にストッパーが働き休止状態となる）。
３”Π型におけるスライドの為の操作ボタン（稼動時ボタンを９０度右回転することによって刃はボタンの下方に突出、同時にストッパーから開放され稼動する）。
４  蝶番。
５  Ｉ型のラップフィルム裁断用刃の鞘。
６  Ｉ型のラップフィルムケースの本体。
７  Ｉ型のラップフィルムケースの蓋。
８  Ｉ型のラップフィルム裁断用の刃（ラップフィルム幅をやや凌駕する長さ）
９  ラップフィルム。
１０  Ｉ型における刃をスライドさせる為のガイド。
１１  ケース本体と蓋との留め金。
１２  Ｉ型におけるバネのガイド用チューブ。
１３  バネ。
１４  バネの固定金具（チューブ）。
１５  １型における刃の固定金具（螺子止め）。
１６  Ｉ型におけるラップフィルム裁断用刃のガイド（両端にあり）。
１７  螺子止め。
１８  ＩＩ型における動力収納スペース。
１９  動力収納スペースの蓋。
２０  ＩＩ型における動力としてのゼンマイ。
２１  ＩＩ型におけるゼンマイのためのローラ。
２２  ＩＩ型におけるゼンマイの為の鞘。
２３  ＩＩ型におけるラップ裁断用刃のためのガイド。
２４  ＩＩ型におけるストッパー（ガイドに直角な切れ込み）。
２５  ＩＩ型におけるラップ裁断用刃の磨耗防除の為の溝。
【図１】
2004331218.tif 000003
【図２】
2004331218.tif 000004
【図３】
2004331218.tif 000005
【図４】
2004331218.tif 000006